(57)【要約】  【課題】  光ディスク装置において、部品の信頼性を損なわずに装置の薄型化を可能にする。  【解決手段】  ボトムカバー部材を、貫通孔を有する構成とし、ディスク非装着状態時、ユニットメカ部の支持部分であるユニットメカデッキ部材の外縁部、または、スピンドルモータを該ユニットメカデッキ部材に固定するモータ固定板を、該貫通孔から装置外面側に突出させ、該ユニットメカ部内でこれらユニットメカデッキ部材の外縁部やモータ固定板とは反対側に突出して光ディスク面と対向している部分が該光ディスク面との間に隙間を形成するようにする。【選択図】  図５
2008146756.tif 000002
【特許請求の範囲】
【請求項１】
光ディスクをスピンドルモータで回転駆動し該光ディスクに光ピックアップからレーザ光を照射して情報を記録または再生する光ディスク装置であって、
装置の表面側を覆うトップカバー部材と、
装置基盤としての第１の基台と、
上記スピンドルモータ、該スピンドルモータが取付けられたモータ固定板、上記光ピックアップ、及び、該光ピックアップを上記光ディスクの略半径方向に移動させる移動・案内機構部を備えて成るユニットメカ部と、
上記ユニットメカ部の支持部分を構成し、上記第１の基台に対し該第１の基台の平面に略直角な平面内で、ディスク非装着状態の第１の位置からディスクチャッキング状態の第２の位置まで回動変位可能な第２の基台と、
上記第１の基台が結合され、面内の、上記ユニットメカ部における上記第２の基台の外縁部及び上記モータ固定板に対向する部分に貫通孔を有し、装置の裏面側を覆うボトムカバー部材と、
を備え、上記第２の基台が上記第１の位置にあるとき、上記ユニットメカ部における上記第２の基台の外縁部、上記モータ固定板のいずれか一方または両方が、上記ボトムカバー部材の上記貫通孔から装置外面側に突出される構成としたことを特徴とする光ディスク装置。
【請求項２】
上記ユニットメカ部は、上記スピンドルモータの回転部上に、上記光ディスクのチャッキング状態時に該光ディスクの中心孔内に挿入され該光ディスクを半径方向に支持する凸状のクランパ部が固定され、上記第２の基台が上記第１の位置にあるときは、該クランパ部の先端部が、装填のため装置内に挿入される光ディスクの対向面から離間した位置にある構成である請求項１に記載の光ディスク装置。
【請求項３】
上記ユニットメカ部は、上記第２の基台が回動変位して上記第１の位置と上記第２の位置との間の第３の位置にあるとき、上記光ディスクを記録または再生動作可能な装填状態とし、該装填状態においても、該第２の基台の外縁部、上記モータ固定板のいずれか一方または両方が、上記ボトムカバー部材の上記貫通孔から装置外面側に突出される構成である請求項１に記載の光ディスク装置。
【請求項４】
上記ユニットメカ部内の上記移動・案内機構部は、送りモータによりリードスクリュー部材を回転駆動して上記光ピックアップを移動させ、該送りモータが、該リードスクリュー部材の両端部のうち上記スピンドルモータから遠い端部側に配された構成である請求項１に記載の光ディスク装置。
【請求項５】
上記トップカバー部材の外面と上記ボトムカバー部材の外面との間の距離は、９．５×１０−３ｍ以下である請求項１から４のいずれかに記載の光ディスク装置。
【発明の詳細な説明】
【技術分野】
【０００１】
本発明は、ユニットメカ方式の光ディスク装置に係り、特に、装置薄型化のための構造に関する。
【背景技術】
【０００２】
ユニットメカ方式の薄型の光ディスク装置では、既に、装置厚さが約９．５×１０−３ｍのものが実用化されている。最近は、ノート型パソコン用などとして、さらに装置厚さを大幅に薄型化する検討、例えば約７．０×１０−３ｍにする検討が行われている。
本発明に関連した従来技術であって、特許文献に記載されたものとしては、例えば特開２００５−２５１３６３号公報（特許文献１）や特開２００５−２９３６４７号公報（特許文献２）に記載された技術がある。特開２００５−２５１３６３号公報には、ユニットメカ方式のディスクドライブ装置において、天板（トップケース部材）の剛性が低下する場合でも、光ディスクのチャッキング動作を確実に行えるように、天板のターンテーブルと対向する位置に当接突部を設け、ディスクのチャッキング時に光ディスクの中心孔の周囲が該当接突部に押し付けられるようにするとした構成が記載され、また、特開２００５−２９３６４７号公報には、ディスク装置を容易に小型化できる技術として、光ピックアップを移動させるリードスクリューとそれを駆動する移動用電動モータ（送りモータ）を、ケース体１１０に取付けるとした構成が記載され、特に、従来技術を説明する図２（Ｂ）には、リードスクリュー部材の支持部材がケース体と干渉しないようにするために、平面の一部を切り欠いたケース体２が図示され、該切り欠いた部分から上記移動用電動モータの一部が突出した構成が記載されている。
【０００３】
【特許文献１】特開２００５−２５１３６３号公報
【特許文献２】特開２００５−２９３６４７号公報
【発明の開示】
【発明が解決しようとする課題】
【０００４】
ユニットメカ方式の光ディスク装置において、光ディスク面とボトムカバー部材との間の距離を短縮して装置の薄型化を図る場合、該距離の短縮化のためには、ユニットメカ部を一層、該ボトムカバー部材側に近づける必要がある。
しかしなら、例えば図８のような従来構成において、スピンドルモータ２や光ピックアップ３'がユニットメカデッキ部材５ａ'に搭載されたユニットメカ部５'をボトムカバー部材８'に近接させて配した場合、該構成においては、光ディスク２００の非装着状態時、すなわち光ディスク２００が、その中心孔にクランパ部１１'が挿入されていない状態（以下、ディスク非装着状態という）時に、モータ固定板２５'やユニットメカデッキ部材５ａ'の外縁部５ａ１'がボトムカバー部材８'の内面に近接した状態となる。このため、ディスク非装着状態において、ユニットメカデッキ部材５ａ'の、支点Ｂ'周りのボトムカバー部材８'側への回動変位量が小さく制限され、この結果、クランパ部１１'の先端のボトムカバー部材８'側への退避量も小さくなり、結局、該クランパ部１１'の先端のＺ軸方向高さ位置が光ディスク２００の記録面２００ａのＺ軸方向高さ位置よりも高くなって、ディスクローディング時にも、光ディスク２００がクランパ部１１'に当接してしまい、正常な挿入動作ができなくなる。なお、図８中、３'は対物レンズ、４'は装置基盤としてのシャーシ、８ａ'はボトムシート、１２'は光ディスク２００の平面を支持するディスク平面支持部である。
また、上記特開２００５−２９３６４７号公報記載の図２（Ｂ）の構成は、スピンドルモータに近い位置に配された移動用電動モータ（送りモータ）が、最もケース体２に近接している構成の場合であると考えられる。
本発明の課題点は、上記従来技術の状況に鑑み、ユニットメカ方式の光ディスク装置において、ディスク非装着状態時にもクランパ部等ユニットメカ部の突出部を光ディスク面に当接させずに、装置の薄型化を図れるようにすることである。
【課題を解決するための手段】
【０００５】
上記課題点を解決するために、本発明では、ユニットメカ方式の光ディスク装置において、ボトムカバー部材を貫通孔を有する構成とし、ディスク非装着状態時、ユニットメカ部の支持部分であるユニットメカデッキ部材の外縁部、または、スピンドルモータを該ユニットメカデッキ部材に固定するモータ固定板を、該貫通孔から装置外面側に突出させ、該ユニットメカ部内でこれらユニットメカデッキ部材の外縁部やモータ固定板とは反対側に突出して光ディスク面と対向している部分が該光ディスク面との間に隙間を形成するようにする。
【発明の効果】
【０００６】
本発明によれば、光ディスク装置において、信頼性を確保した状態で、装置の薄型化を図ることができる。
【発明を実施するための最良の形態】
【０００７】
以下、本発明の実施例につき、図面を用いて説明する。
図１〜図７は本発明の実施例の説明図である。図１は、本発明の一実施例としての、スロットイン型のユニットメカ方式の光ディスク装置の全体平面構成例図、図２は、図１の光ディスク装置の裏面図、図３は、図２の構成の要部拡大図、図４は、図１の光ディスク装置に用いるボトムカバー部材の平面構成図、図５は、図１の光ディスク装置のディスク非装着状態時の断面構成図、図６は、図１の光ディスク装置のディスク装着状態時の断面構成図、図７は、図１の光ディスク装置のディスク装着状態時の断面構成における他の例を示す図である。なお、図１〜図７の構成において、同じ構成要素には同じ符号を付し、かつ同じ座標軸を用いて示すものとする。
【０００８】
図１は、本発明の実施例としての光ディスク装置の表面側（Ｚ軸方向側＝光ディスク載置側）の構成例図である。
図１において、１００は光ディスク装置、２は、光ディスク（図示なし）を回転駆動するスピンドルモータ、３は光ピックアップ、３ａは対物レンズ、４は、装置基盤である第１の基台としてのシャーシ、５は、上記スピンドルモータ２及び上記光ピックアップ３が配置されて成るユニットメカ部、５ａは、ユニットメカ部５の支持部分を構成し、上記スピンドルモータ２及び上記光ピックアップ３が搭載され、上記シャーシ４に対し該シャーシ４の平面に略直角な平面内で、ディスク非装着状態の第１の位置から、該光ディスクをチャッキングする第２の位置まで支点周りに回動変位可能な第２の基台としてのユニットメカデッキ部材、７は、ユニットメカデッキ部材５ａを支点周りに回動させ、シャーシ４に対して昇降変位させる昇降機構、８は、シャーシ４の外側に配され光ディスク装置１００の裏面側を覆うボトムカバー部材、９は、昇降機構部７に駆動力を与える駆動ギヤ、１１は、スピンドルモータ２の回転部上に設けられ、光ディスク（図示なし）のチャッキング状態時に該光ディスクの中心孔内に挿入され該光ディスクを半径方向に支持する凸状のクランパ部、１２は、クランパ部１１が挿入された光ディスクのディスク中心孔の周辺の平面を支持するディスク平面支持部、２１は、表面にねじが設けられ、該ねじの回転により光ピックアップ３を光ディスクの略半径方向に移動させるリードスクリュー部材、２２、２３は、該光ピックアップ３の移動を案内するガイド部材、３０は、リードスクリュー部材２１を回転駆動する送りモータ、４０は、光ディスクをローディング移動（ディスク装着状態にするための移動）またはアンローディング移動（ディスク装着状態からディスク非装着状態にするための移動）させる駆動力を発生するローディングモータ、４１は、ローディングモータ４０から駆動力を負荷側に伝達する伝達用ギヤ列、５０は、光ディスクが前面パネル（図示なし）側からＹ軸方向に装置本体内に挿入されたとき及び光ディスクが装置本体内から前面パネル側に排出されるときに、該挿入・排出動作のための駆動力伝達を行うアーム部材、５０ａはアーム部材５０のアーム部、５０ｂは、アーム部５０ａを回動可能に支持するアーム支持部、７０は、光ディスクを装置本体内に引き込むためのディスクスロットアーム部材、８０はサブレバー部材、１２２、１２３は、光ディスクのローディングまたはアンローディング時に作動するレバー部材、１３０は、ローディングモータ４０への通電をオン、オフするためのスイッチ、ｇ、ｈは、ユニットメカデッキ部材５ａが昇降変位するときの回動支点、Ｐ−Ｐ'は、回動支点ｇ、ｈを通る直線である。送りモータ３０、リードスクリュー部材２１及びガイド部材２２、２３は、移動・案内機構部を構成する。送りモータ３０は、リードスクリュー部材２１の両端部のうち、回動支点ｈまたは回動支点ｇ、ｈを通る直線Ｐ−Ｐ'に近い端部側すなわちスピンドルモータ２から遠い端部側に直結され、リードスクリュー部材２１を回転駆動する。
【０００９】
第２の基台としてのユニットメカデッキ部材５ａ上には、リードスクリュー部材２１、ガイド部材２２、２３及び送りモータ３０も、スピンドルモータ２や光ピックアップ３とともに搭載される。スピンドルモータ２はモータ固定板（図示なし）に取付けられ、該モータ固定板が該ユニットメカデッキ部材５ａの裏面側（−Ｚ軸方向側）にビス等で固定される。１６１、１６２、１６３はそれぞれ、該ビス等が設けられる位置すなわちモータ固定板をユニットメカデッキ部材５ａに固定する位置である。
【００１０】
光ディスクを装置内に装着し、記録または再生動作が可能な状態とする場合、昇降機構７により、ユニットメカデッキ部材５ａを支点ｇ、ｈ周り（または直線Ｐ−Ｐ'周り）に回動させ、シャーシ４に対してディスク非装着状態の第１の位置から上昇変位させ、クランパ部１１を、装置内に挿入された光ディスクの中心孔内に挿入させ、さらに第２の位置に上昇変位させて該光ディスクの該中心孔の周辺面をディスク支持平面１１上に載置させ、該光ディスクをチャッキング状態にする。その後、光ディスクがチャッキングされた状態で、昇降機構７により、ユニットメカデッキ部材５ａを、支点ｇ、ｈ周りに上記とは反対方向に回動させ、シャーシ４に対して下降変位させて、上記第１の位置と上記第２の位置との間にあって、記録または再生動作が可能なディスク装着状態となる第３の位置にする。
【００１１】
レバー部材１２２、１２３は、光ディスクのローディング移動またはアンローディング移動時に、ローディングモータ４０の回転駆動力が伝達用ギヤ列４１を介して伝達され、該光ディスクを所定の状態に保ちながら変位して該光ディスクを装置本体内のチャッキング可能な位置まで引き込んだり、または該チャッキング可能な位置から装置本体外に向けて光ディスクを引き出したりする。
ボトムカバー部材８は、上記シャーシ４が結合され、面内には貫通孔（図示なし）を有する。該貫通孔は、少なくともディスク非装着状態時に、ユニットメカ部５の一部を装置外面側に突出させる。
【００１２】
光ディスク装置１００の表面側（Ｚ軸方向側）はトップカバー部材（図示なし）で覆われる。光ディスク装置１００では、装置の厚さ寸法（トップカバー部材の外表面と、ボトムカバー部材８またはボトムシート８ａの外表面との間の距離）が、少なくとも９．５×１０−３ｍ以下、例えば約７．０×１０−３ｍとされているものとする。
以下、説明中で用いる図１の構成要素には、図１の場合と同じ符号を付して用いるとする。
【００１３】
図２は、図１の光ディスク装置１００の裏面図である。
図２において、８５は、ボトムカバー部材８の面内に設けられた貫通孔、２５は、スピンドルモータ２が取付けられたモータ固定板、５ａ１は、ユニットメカデッキ部材５ａの外縁部である。該貫通孔８５は、ユニットメカ部５の−Ｚ軸方向側の突出部であるユニットメカデッキ部材５ａの外縁部５ａ１やモータ固定板２５に対向した位置に設けられる。少なくとも上記ユニットメカデッキ部材５ａがディスク非装着状態の上記第１の位置にあるとき、該貫通孔８５には、ユニットメカ部５内の、上記ユニットメカデッキ部材５ａの外縁部５ａ１やモータ固定板２５が、該貫通孔８５から装置外面側（−Ｚ軸方向側）に突出される。これらの部分が該貫通孔８５から突出されることで、ユニットメカ部５は、上記ユニットメカデッキ部材５ａが上記第１の位置にあるとき、そのＺ軸方向側の突出部であるクランパ部１１が、装填のために外部から挿入される光ディスクの対向面との間に隙間を形成する。すなわち、ユニットメカデッキ部材５ａの外縁部５ａ１、上記モータ固定板２５のいずれか一方の一部分または両方の一部分を該貫通孔８５から装置外面側（−Ｚ軸方向側）に突出させることにより、光ディスク面に対するユニットメカデッキ部材５ａの傾斜角を増大させ、スピンドルモータ２上部のクランパ部１１の先端部のＺ軸方向高さを低くして該クランパ部１１の先端部を光ディスク面から離間した状態にする。該離間状態とすることで、光ディスクをクランパ部１１に当接させずにローディング動作を行うことが可能となり、これによって、装置の薄型化を図ることができる。
【００１４】
図３は、図２における貫通孔８５と、それを貫通するユニットメカデッキ部材５ａの外縁部５ａ１とモータ固定板２５の拡大図である。貫通孔８５を貫通して装置外面側に突出するユニットメカデッキ部材５ａの外縁部５ａ１は、昇降機構７と近接している。
【００１５】
図４は、図１の光ディスク装置１００に用いるボトムカバー部材８の平面構成図である。ボトムカバー部材８は、光ディスク装置１００の裏面側（−Ｚ軸方向側）を覆い、その平面内には、ユニットメカ部５におけるユニットメカデッキ部材５ａの外縁部５ａ１及びモータ固定板２５に対向する部分に、これら外縁部５ａ１やモータ固定板２５を、少なくともディスク非装着状態時に装置外面側に貫通させる貫通孔８５が設けられている。
【００１６】
図５は、図１の光ディスク装置１００のディスク非装着状態時の断面構成図である。（ａ）は、ユニットメカデッキ部材５ａが第１の位置にあるときの光ディスク装置１００のＱ−Ｑ'断面（図１）の構成を示し、（ｂ）は、（ａ）の構成中、ボトムカバー部材８の貫通孔８５と、これに挿入されるユニットメカデッキ部材５ａの外縁部５ａ１及びモータ固定板２５の拡大図である。
【００１７】
図５において、２００は、光ディスク装置１００に挿入される光ディスク、２００ａは、光ディスク２００の記録面（ディスク面）、Ｂは、ユニットメカデッキ部材５ａの回動支点（回動支点ｇ、ｈに該当）、θは、ユニットメカデッキ部材５ａが第１の位置にあるときの光ディスク２００の記録面２００ａに対する傾斜角、ｓは、同じくユニットメカデッキ部材５ａが第１の位置にあるときのクランパ部１１の先端と光ディスク２００の記録面２００ａとの間の距離（隙間寸法）、ｄは、ユニットメカデッキ部材５ａのＬ字状の外縁部５ａ１の高さ寸法、８ａは、ボトムカバー部材８の外側に設けるボトムシートである。昇降機構７によりユニットメカデッキ部材５ａが第１の位置にあるとき、該ユニットメカデッキ部材５ａは光ディスク２００の記録面２００ａに対し傾斜角θで傾斜している。このとき、ユニットメカ部５は、その−Ｚ軸方向側の部分では、ユニットメカデッキ部材５ａの外縁部５ａ１の先端側部分とモータ固定板２５の傾斜方向先端側部分とが貫通孔８５から装置外面側に突出され、一方、Ｚ軸方向側の部分では、クランパ部１１の先端部が光ディスク２００の記録面２００ａから距離ｓだけ離間した状態となる。すなわち、ユニットメカデッキ部材５ａの外縁部５ａ１の先端側部分とモータ固定板２５の傾斜方向先端側部分とを貫通孔８５から装置外面側に突出させることで、ユニットメカデッキ部材５ａが光ディスク２００の記録面２００ａに対し傾斜角θで傾斜することを可能にし、クランパ部１１の先端部を、光ディスク２００の記録面２００ａから距離ｓだけ離間した位置にあるようにする。該距離ｓは、該クランパ部１１の先端部と該光ディスク２００の記録面２００ａとが当接する危険性のない値とされる。ユニットメカデッキ部材５ａのＬ字状の外縁部５ａ１は高さ寸法ｄが大きい場合は、該ユニットメカデッキ部材５ａの厚さを減少させたときも、該ユニットメカデッキ部材５ａの剛性の低下を抑えることができる。傾斜角θとしては、例えば、１０°＞θ＞０°の範囲内の値とする。
【００１８】
図６は、図１の光ディスク装置１００のディスク装着状態時の断面構成図である。
昇降機構７により、ユニットメカデッキ部材５ａを、上記図５の傾斜状態の第１の位置からＺ軸方向に上昇変位させ、第２の位置で光ディスクをチャッキング状態にし、その後、該ユニットメカデッキ部材５ａを、−Ｚ軸方向側に下降変位させて、上記第１の位置と上記第２の位置との間の第３の位置に保持し、該第３の位置で、光ディスクを、記録または再生動作が可能なディスク装着状態にする。本図６は、ユニットメカデッキ部材５ａが上記第３の位置にあって、ユニットメカデッキ部材５ａの外縁部５ａ１の先端側部分とモータ固定板２５とがボトムカバー部材８の貫通孔８５から装置外面側に突出している状態を示す。
【００１９】
図７は、図１の光ディスク装置１００のディスク装着状態時の断面構成における他の例を示す図である。
ユニットメカデッキ部材５ａを、上記図５の傾斜状態の第１の位置からＺ軸方向に上昇変位させ、第２の位置で光ディスクをチャッキング状態にした後、ユニットメカデッキ部材５ａを、−Ｚ軸方向側に下降変位させて、上記第１の位置と上記第２の位置との間の第３の位置に保持し、該第３の位置で、光ディスクを、記録または再生動作が可能なディスク装着状態にする。本図７は、ユニットメカデッキ部材５ａが上記第３の位置にあるときは、ユニットメカデッキ部材５ａの外縁部５ａ１もモータ固定板２５もともにボトムカバー部材８の内側にあり、貫通孔８５から装置外面側には突出していない状態を示す。
【００２０】
上記説明した実施例によれば、光ディスク装置１００において、ボトムカバー部材８に貫通孔８５を設け、該貫通孔８５からユニットメカデッキ部材５ａの外縁部５ａ１やモータ固定板２５を突出させる構成のため、ユニットメカデッキ部材５ａのＬ字状の外縁部５ａ１の高さ寸法ｄや、スピンドルモータ２の厚さ寸法や、モータ固定板２５の厚さ寸法や、クランパ部１１の高さ寸法などを縮小させることなく、信頼性を確保した状態で、装置の薄型化を図ることができる。装置の厚さ寸法（トップカバー部材の外表面と、ボトムカバー部材８またはボトムシート８ａの外表面との間の距離）としては、少なくとも９．５×１０−３ｍ以下、例えば約７．０×１０−３ｍとすることができる。
【図面の簡単な説明】
【００２１】
【図１】本発明の実施例としての光ディスク装置の全体平面構成例図である。
【図２】図１の光ディスク装置の裏面図である。
【図３】図２の構成の要部拡大図である。
【図４】図１の光ディスク装置に用いるボトムカバー部材の平面構成図である。
【図５】図１の光ディスク装置のディスク非装着状態時の断面構成図である。
【図６】図１の光ディスク装置のディスク装着状態時の断面構成図である。
【図７】図１の光ディスク装置のディスク装着状態時の断面構成における他の例を示す図である。
【図８】本発明の課題点を説明する図である。
【符号の説明】
【００２２】
１００…光ディスク装置、
２、２'…スピンドルモータ、
３、３'…光ピックアップ、
３ａ、３ａ'…対物レンズ、
４、４'…シャーシ、
５、５'…ユニットメカ部、
５ａ、５ａ'…ユニットメカデッキ部材、
５ａ１、５ａ１'…ユニットメカデッキ部材の外縁部、
７…昇降機構、
８、８'…ボトムカバー部材、
８ａ、８ａ'…ボトムシート、
９…駆動ギヤ、
１１、１１'…クランパ部、
１２、１２'…ディスク平面支持部、
２１…リードスクリュー部材、
２２、２３…ガイド部材、
２５、２５'…モータ固定板、
３０…送りモータ、
４０…ローディングモータ、
８５…貫通孔、
ｇ、ｈ…回動支点、
２００…光ディスク。
【図１】
2008146756.tif 000003
【図２】
2008146756.tif 000004
【図３】
2008146756.tif 000005
【図４】
2008146756.tif 000006
【図５】
2008146756.tif 000007
【図６】
2008146756.tif 000008
【図７】
2008146756.tif 000009
【図８】
2008146756.tif 000010